(57)【要約】【課題】  労力および時間をかけずに確実に混触を確認することができる分電装置、分電システム、分電装置用制御ユニット、分電装置用プログラムおよび分電装置制御方法を提供する。【解決手段】  電源側の電力供給線６と負荷側の電力供給線７の間に設けられた開閉器２と、開閉器２の電源側と負荷側間の電位差を検出する電圧検出器３と、制御部４と、を有する分電装置１であって、制御部４は、開閉器２の開閉制御を行う開閉制御部４２と、開閉制御部４２により開閉器２が開状態とされたときの電圧検出器３により検出された電位差に基づき混触があるかの判断を行う演算部４４と、演算部４４により混触があると判断された場合に、警報信号を出力する警報出力部４５と、を備えた。【選択図】  図１
2018182946.tif 000002
【特許請求の範囲】
【請求項１】
電源側の電力供給線と負荷側の電力供給線の間に設けられた開閉器と、
前記開閉器の電源側と負荷側間の電位差を検出する電圧検出器と、
制御部と、を有する分電装置であって、
前記制御部は、
前記開閉器の開閉制御を行う開閉制御部と、
前記開閉制御部により前記開閉器が開状態とされたときの前記電圧検出器により検出された電位差に基づき混触があるかの判断を行う演算部と、
前記演算部により混触があると判断された場合に、警報信号を出力する警報出力部と、
を備えた、
分電装置。
【請求項２】
前記制御部は、
動作開始を指示する第１の開始信号を受信する受信部と、
第２の開始信号を送信する送信部と、を備え、
前記制御部の前記開閉制御部は、前記受信部により第１の開始信号を受信した後に、前記開閉器を開状態にする制御を行い、
前記演算部による混触があるかの判断が終了した後に、前記開閉器を閉状態にする制御を行い、
その後に前記送信部は、前記第２の開始信号を送信する請求項１記載の分電装置。
【請求項３】
前記警報出力部から出力された警報信号に基づき表示を行う表示器を有する請求項１乃至２に記載の分電装置。
【請求項４】
請求項２に記載の、複数の分電装置を備えた分電システムであって、
前記複数の分電装置のうち、１の分電装置の前記受信部に、前記複数の分電装置のうち他の分電装置の前記送信部から送信された前記第２の開始信号が、前記第１の開始信号として入力される分電システム。
【請求項５】
電源側の電力供給線と負荷側の電力供給線の間に設けられた開閉器の開閉制御を行う開閉制御部と、
前記開閉制御部により前記開閉器が開状態とされたときに、前記開閉器の電源側と負荷側間の電位差を検出する電圧検出器により検出された電位差に基づき混触があるかの判断を行う演算部と、
前記演算部により混触があると判断された場合に、警報信号を出力する警報出力部と、
を有する分電装置用制御ユニット。
【請求項６】
電源側の電力供給線と負荷側の電力供給線の間に設けられた開閉器の開閉制御を行う開閉制御ステップと、
前記開閉制御ステップにより前記開閉器が開状態とされたときに、前記開閉器の電源側と負荷側間の電位差を検出する電圧検出器により検出された電位差に基づき混触があるかの判断を行う演算ステップと、
前記演算ステップにより混触があると判断された場合に、警報信号を出力する警報出力ステップと、
を有する分電装置用プログラム。
【請求項７】
電源側の電力供給線と負荷側の電力供給線の間に設けられた開閉器の開閉制御を行う開閉制御手段と、
前記開閉制御手段により前記開閉器が開状態とされたときに、前記開閉器の電源側と負荷側間の電位差を検出する電圧検出器により検出された電位差に基づき混触があるかの判断を行う演算手段と、
前記演算手段により混触があると判断された場合に、警報信号を出力する警報出力手段と、
を有する分電装置制御方法。
【発明の詳細な説明】
【技術分野】
【０００１】
本実施形態は、電力を分配して供給を行う分電装置、分電システム、分電装置用制御ユニット、分電装置用プログラムおよび分電装置制御方法に関する。
【背景技術】
【０００２】
鉄道会社や工場などの送変電所には、電力を各回線に分配して供給を行う分電装置が設けられる。分電装置は、電源側の電力供給線、負荷側の電力供給線、および電源側の電力供給線と負荷側の電力供給線の間に接続された遮断器が設けられ、電気機器は、負荷側の電力供給線に接続される。遮断器は、過電流などを検出し、負荷側の電力供給線を電源側の電力供給線から遮断し、負荷側の電力供給線に接続された電気機器を保護する。
【先行技術文献】
【特許文献】
【０００３】
【特許文献１】特開２０１５−２２０７９１公報
【発明の概要】
【発明が解決しようとする課題】
【０００４】
前記のような分電装置は、鉄道会社や工場などの送変電所に複数設けられる。各分電装置は、複数の電力供給線に電力を分電する目的で設けられる。複数の分電装置は、共通の電力供給源から電力を供給される。このため複数の分電装置の電源側の電力供給線は、電気的に接続されている。
【０００５】
負荷側の電力供給線は、遮断器を介して電源側の電力供給線に接続される。遮断器は、過電流などを検出し遮断状態となり、負荷側の電力供給線を電源側の電力供給線から遮断する。また、遮断器は、負荷側の電力供給線に接続された電気機器のメンテナンス時にも人為的に操作され遮断状態となり、負荷側の電力供給線を電源側の電力供給線から遮断する。
【０００６】
遮断器が遮断状態となった時、負荷側の電力供給線は電源側の電力供給線から遮断される。したがって、遮断器が遮断状態となった時、原則として各分電装置の負荷側の電力供給線には、電力が供給されず電圧は発生しない。
【０００７】
しかしながら、工事等により電力の供給線が後発的に増設された場合など、まれに誤配線により負荷側の電力供給線に他の分電装置の負荷側または電源側の電力供給線が接続される場合がある。誤配線により負荷側の電力供給線に他の分電装置の電力供給線が接続されることを混触と呼ぶ。このような混触は、過電流などの発生時に、意図した負荷側の電力供給線への電力供給を遮断することができず、不都合であった。また電気機器のメンテナンス時にも、意図した負荷側の電力供給線への電力供給を遮断することができず、不都合であった。
【０００８】
従来、このような混触は人手により確認されていた。しかしながら、人手による混触の確認は、労力および時間を要し、さらに作業者の熟練度合により誤配線の検出の確実性が左右され、不都合であった。
【０００９】
本実施形態は、労力および時間をかけずに確実に混触を確認することができる分電装置、分電システム、分電装置用制御ユニット、分電装置用プログラムおよび分電装置制御方法を提供することを目的とする。
【課題を解決するための手段】
【００１０】
本実施形態の分電装置は次のような構成を有することを特徴とする。
（１）電源側の電力供給線と負荷側の電力供給線の間に設けられた開閉器。
（２）前記開閉器の電源側と負荷側間の電位差を検出する電圧検出器。
（３）以下を備えた制御部。
（３−１）前記開閉器の開閉制御を行う開閉制御部。
（３−２）前記開閉制御部により前記開閉器が開状態とされたときの前記電圧検出器により検出された電位差に基づき混触があるかの判断を行う演算部。
（３−３）前記演算部により混触があると判断された場合に、警報信号を出力する警報出力部。
【００１１】
また、上記の分電装置を複数備えた分電システム、分電装置を制御する分電装置用制御ユニット、上記の各部の動作を実行するステップを有する分電装置用プログラム、分電装置制御方法も本実施形態に含まれる。
【図面の簡単な説明】
【００１２】
【図１】第１実施形態にかかる分電装置１の構成を示す図
【図２】第１実施形態にかかる分電装置１の制御部４の構成を示す図
【図３】第１実施形態にかかる分電装置１を複数備えた分電システムを示す図
【図４】第１実施形態にかかる分電装置１の制御部４のプログラムフローを示す図
【図５】第１実施形態にかかる分電システムの状態を示す図
【図６】他の実施形態にかかる分電システムの状態を示す図
【発明を実施するための形態】
【００１３】
［１．第１実施形態］
［１−１．構成］
図１を参照して本実施形態の一例としての分電装置１について説明する。
【００１４】
（１）分電装置１の全体構成
分電装置１は、開閉器２、電圧検出器３、制御部４、表示器５、電源側の電力供給線６、負荷側の電力供給線７、遮断器８を有する。分電装置１に、混触の判断を行う動作を開始させる開始信号を与えるスイッチとして、開始スイッチ９が分電装置１に接続される。制御部４は請求項中の分電装置用制御ユニットに相当する。
【００１５】
本実施形態において、同一構成の装置や部材が複数ある場合にはそれらについて同一の番号を付して説明を行い、また、同一構成の個々の装置や部材についてそれぞれを説明する場合に、共通する番号にアルファベットの添え字を付けることで区別する。
【００１６】
分電装置１は、鉄道会社や工場などの送変電所に配置される。分電装置１は、鉄道会社や工場などの各電力回線に電力を分配して供給する。
【００１７】
電源側の電力供給線６は、分電装置１へ電力を供給するための給電線である。電源側の電力供給線６は、絶縁被覆に覆われた銅等を材質とする導線である。電源側の電力供給線６は、分電装置１の筐体内に配置される。電源側の電力供給線６は、外部の電力供給源（図中不示）から供給される直流電力を受電する。
【００１８】
負荷側の電力供給線７は、負荷として接続された電気機器（図中不指）に電力を供給するための給電線である。負荷側の電力供給線７は、絶縁被覆に覆われた銅等を材質とする導線である。負荷側の電力供給線７は、分電装置１の筐体内に配置される。
【００１９】
開閉器２は、真空遮断器等の電力用開閉器により構成される。開閉器２は、一方が電源側の電力供給線６に、他方が負荷側の電力供給線７に接続される。開閉器２は、制御部４により出力された開閉制御信号により開閉制御され、外部の電力供給源から供給される電力を導通または非導通とする。
【００２０】
電圧検出器３は、電圧を感知するセンサを含む検出回路により構成される。電圧検出器３は、開閉器２の負荷側の電位を検出するために設けられる。電圧検出器３は、入力側が開閉器２の電源側および負荷側に接続される。電圧検出器３の出力側は、制御部４に接続される。電圧検出器３は、開閉器２の電源側と負荷側間の電位差を検出し、予め設定された電圧以上の電位差があるか判断し、電位差の有無を示すステータス信号を制御部４に送信する。
【００２１】
制御部４は、マイクロコンピュータチップを有するＣＰＵボードにより構成される。制御部４には、開始スイッチ９からの開始信号、電圧検出器３からの電位差の有無を示すステータス信号が入力される。制御部４は、開閉器２に対し開閉制御信号を、表示器５に対し警報信号を出力する。制御部４は、混触があるかの判断を行い、混触があると判断した場合に、警報信号を出力する。制御部４の構成の詳細は、後述する。
【００２２】
開始スイッチ９は、プッシュスイッチ等のスイッチにより構成される。開始スイッチ９は、分電装置１に混触の判断を行う動作を開始するよう指示するためのスイッチである。開始スイッチ９は、作業者により操作され、制御部４に開始信号を送信する。開始スイッチ９は、分電装置１の筐体の外面に配置される。
【００２３】
表示器５は、発光ダイオード等のランプにより構成される。表示器５は、制御部４からの警報信号を受信し、作業者に対し警報を出力する。表示器５は、分電装置１の筐体の外面に配置される。
【００２４】
遮断器８は、真空遮断器等の電力用開閉器により構成される。遮断器８は、電源側の電力供給線６の中腹に設けられ、過電流や地絡電流などの異常電流を検出したときに、電源側の電力供給線６の導通を遮断する。遮断器８は、ＭＣＣＢとも呼ばれる。
【００２５】
（２）制御部４の構成
制御部４は、制御部４は、マイクロコンピュータチップを有するＣＰＵボードにより構成される。制御部４は、分電装置１の筐体内に配置される。制御部４は、受信部４１、開閉制御部４２、入力部４３、演算部４４、警報出力部４５、送信部４６を有する。
【００２６】
受信部４１は、ステータス信号入力回路により構成される。受信部４１は、入力側が開始スイッチ９に接続され、出力側が演算部４４に接続される。受信部４１は、開始スイッチ９から送信された開始信号を受信し、演算部４４に送信する。
【００２７】
開閉制御部４２は、リレーコンタクタ等を有するステータス信号出力回路により構成される。開閉制御部４２は、入力側が演算部４４に接続され、出力側が開閉器２に接続される。開閉制御部４２は、演算部４４に制御され開閉器２を開閉する。
【００２８】
入力部４３は、ステータス信号入力回路により構成される。入力部４３は、入力側が電圧検出器３に接続され、出力側が演算部４４に接続される。入力部４３は、電圧検出器３から送信された電位差の有無を示すステータス信号を受信し、演算部４４に送信する。
【００２９】
演算部４４は、ＣＰＵ回路により構成される。演算部４４は、後述するコンピュータプログラムを内蔵する。演算部４４は、受信部４１、開閉制御部４２、入力部４３、警報出力部４５および送信部４６に接続され、これらの制御を行う。演算部４４は、以下の演算および制御を行う。
（Ａ）受信部４１に対する制御
受信部４１を制御し、開始信号を受信する。
（Ｂ）開閉制御部４２に対する制御
開閉制御部４２を制御し、開閉器２を開閉する。
（Ｃ）入力部４３に対する制御
入力部４３を制御し、電圧検出器３から送信された電位差の有無を示すステータス信号を受信する。
（Ｄ）混触の判断
電圧検出器３から送信された電位差の有無を示すステータス信号に基づき、混触があるかの判断を行う。
（Ｅ）警報出力部４５に対する制御
混触があると判断した場合、警報出力部４５を制御し、警報信号を出力する。
（Ｆ）送信部４６に対する制御
混触の判断の終了後であって、開閉制御部４２を閉状態とする制御の終了後、送信部４６を制御し、外部の装置に対し開始信号を送信する。
【００３０】
警報出力部４５は、表示駆動回路により構成される。警報出力部４５は、入力側が演算部４４に接続され、出力側が表示器５に接続される。警報出力部４５は、演算部４４に制御され表示器５に警報信号を出力する。
【００３１】
送信部４６は、ステータス信号出力回路により構成される。送信部４６は、入力側が演算部４４に接続され、出力側が外部の装置に接続される。送信部４６は、演算部４４に制御され外部の装置に対し開始信号を送信する。
【００３２】
［１−２．作用］
次に、本実施形態の分電装置の動作の概要を図３および図４に基づき説明する。
【００３３】
図３は、２つの分電装置１ａおよび分電装置１ｂが接続された分電システムである。分電装置１ｂの構成及び機能は、分電装置１ａと同じである。分電装置１ａの制御部４ａには、開始スイッチ９から出力された開始信号が入力されるのに対し、分電装置１ｂの制御部４ｂには、分電装置１ａから出力された開始信号が入力される点が、異なる。
【００３４】
図４は、制御部４ａの演算部４４ａに内蔵された分電装置用プログラムのフロー図である。演算部４４ａは、下記の手順にて各部の制御および演算を行う。
【００３５】
（初期状態）
初期状態では、分電装置１ａの開閉器２ａおよび遮断器８ａ、ならびに分電装置１ｂの開閉器２ｂおよび遮断器８ｂはすべて閉状態である。つまり、外部の電力供給源から供給された電力は、分電装置１ａおよび１ｂを介し負荷として接続された電気機器（図中不指）に供給されている。
【００３６】
（ステップＳ０１：開始信号を受信する）
制御部４ａの演算部４４ａは、受信部４１ａを制御し開始信号を受信する。開始信号は、分電装置１ａに接続された開始スイッチ９から送信される。なお、分電装置１ｂにおいて、演算部４４ｂは、受信部４１ｂを制御し分電装置１ａから送信された開始信号を受信する。
【００３７】
（ステップＳ０２：開閉器２を開状態とする）
次に演算部４４ａは、開閉制御部４２ａを制御し、開閉器２ａを開状態とする。これにより、混触がない場合、電源側の電力供給線６ａと負荷側の電力供給線７ａは電気的に分離される。つまり、電源側の電力供給線６ａには外部の電力供給源から供給された電力による電圧が発生するが、負荷側の電力供給線７ａには電圧が発生しない。
【００３８】
（ステップＳ０３：電圧検出器３から電位差の有無を示す信号を受信する）
次に演算部４４ａは、入力部４３ａを制御し、電圧検出器３ａから送信された電位差の有無を示すステータス信号を受信する。混触がない場合、電源側の電力供給線６ａと負荷側の電力供給線７ａは電気的に分離される。つまり、電源側の電力供給線６ａには外部の電力供給源から供給された電力による電圧が発生するが、負荷側の電力供給線７ａには電圧が発生しない。
【００３９】
電圧検出器３ａは、開閉器２ａの電源側と負荷側の電位差を測定することにより、開閉器２ａの負荷側の電位を検出する。この電位差の検出は正極線（Ｐ）、負極線（Ｎ）両方につき行われる。電圧検出器３ａは、正極線（Ｐ）、負極線（Ｎ）両方につき電位差の有無を示すステータス信号を送信する。電圧検出器３ａは、開閉器２ａの電源側と負荷側の電位差が、予め設定された電圧以上であると判断した場合に電位差有を示すステータス信号を、予め設定された電圧未満であると判断した場合に電位差無を示すステータス信号を送信する。
【００４０】
図５に混触が有る場合の分電システムを示す。図５において開閉器２ａは開状態であるにも関わらず、開閉器２ｂの負荷側の正極線（Ｐ）が、開閉器２ａの負荷側の正極線（Ｐ）に電気的に接続されている。このため、電圧検出器３ａは、開閉器２ａの正極線（Ｐ）の電源側と負荷側の電位差が、予め設定された電圧未満であると判断する。その結果、電圧検出器３ａは、正極線（Ｐ）に関し電位差無を示すステータス信号を送信する。
【００４１】
（ステップＳ０４：混触があるかの判断を行う）
次に演算部４４ａは、電圧検出器３ａから送信された電位差の有無を示すステータス信号に基づき、混触があるかの判断を行う。つまり、電圧検出器３ａから電位差有を示すステータス信号を受信した場合、混触無と判断する。一方、電圧検出器３ａから電位差無を示すステータス信号を受信した場合、混触有と判断する。
【００４２】
（ステップＳ０５：混触無と判断された場合、警報信号を出力しない）
ステップＳ０４において混触無と判断された場合（ステップＳ０４の混触無）、演算部４４ａは、警報出力部４５を制御し、警報信号を出力しない。
【００４３】
（ステップＳ０６：混触有と判断された場合、警報信号を出力する）
ステップＳ０４において混触有と判断された場合（ステップＳ０４の混触有）、演算部４４ａは、警報出力部４５を制御し、警報信号を出力する。これにより、表示器５ａに混触がある旨の警告が表示される。
【００４４】
（ステップＳ０７：開閉器２を閉状態とする）
次に演算部４４ａは、開閉制御部４２ａを制御し、開閉器２ａを閉状態とする。これにより再度、電源側の電力供給線６ａと負荷側の電力供給線７ａは電気的に接続される。
【００４５】
（ステップＳ０８：開始信号を送信する）
次に演算部４４ａは、送信部４６を制御し、外部の装置に対し開始信号を送信する。
以上で、分電装置１ａの動作は終了となる。
【００４６】
分電装置１ａの動作の終了後、分電装置１ｂの制御部４ｂに、分電装置１ａから出力された開始信号が入力され、分電装置１ｂにおいて混触があるかの判断を行う動作が開始される。分電装置１ｂにおける動作は、上述した分電装置１ａにおけるステップＳ０１〜Ｓ０８の動作と同じである。
【００４７】
［１−３．効果］
（１）本実施形態によれば、制御部４の開閉制御部４２により開閉器２が開状態とされたときの電圧検出器３により検出された電位差に基づき混触があるかの判断を行うので、労力および時間をかけずに確実に混触を確認することができる分電装置、分電システム、分電装置用制御ユニット、分電装置用プログラムおよび分電装置制御方法を提供することができる。
【００４８】
（２）本実施形態によれば、制御部４の開閉制御部４２により開閉器２が開閉され、従来は人手により行われていた、混触確認時の開閉器２の開閉作業が分電装置１の制御部４により行われるので、不確実な開閉器２の開閉作業を防止することができる。
【００４９】
（３）本実施形態によれば、演算部４４により混触があると判断された場合に、警報信号を出力する警報出力部４５から警報信号が出力されるので、作業者は容易に混触の有無を判断することができる。
【００５０】
（４）本実施形態によれば、制御部４の開閉制御部４２は、受信部４１により第１の開始信号を受信した後に、開閉器２を開状態にする制御を行い、演算部４４による混触があるかの判断が終了した後に、開閉器２を閉状態にする制御を行うので、不確実な開閉器２の開閉作業を防止することができる。
【００５１】
（５）本実施形態によれば、制御部４の開閉制御部４２は、受信部４１により第１の開始信号を受信した後に、開閉器２を開状態にする制御を行い、演算部４４による混触があるかの判断が終了した後に、開閉器２を閉状態にする制御を行い、その後に送信部４６が、第２の開始信号を送信するので、労力および時間をかけずに確実に複数の分電装置における混触を確認することができる。
【００５２】
（６）複数の分電盤を備えた分電システムにおいて、分電装置１ａの送信部４６ａから送信された第２の開始信号が、分電装置１ｂの第１の開始信号として入力されるので、分電装置１ｂの開閉器２ｂ、および分電装置１ａの開閉器２ａが同時に開状態とされることがなく、確実に混触を確認することができるとともに不要な停電を防止することができる。複数の分電装置のうちの１の分電装置が、分電装置１ｂであり、複数の分電装置のうちの他の分電装置が、分電装置１ａである。
【００５３】
［２．他の実施形態］
変形例を含めた実施形態を説明したが、これらの実施形態は例として提示したものであって、発明の範囲を限定することを意図していない。これらの実施形態は、その他の様々な形態で実施されることが可能であり、発明の要旨を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。以下は、その一例である。
【００５４】
（１）上記実施形態では、開閉器２とは別個に遮断器８が設けられるものとしたが、別個に遮断器８を設けず、開閉器２が遮断器８を兼ねるようにしてもよい。
【００５５】
（２）上記実施形態では、電圧検出器３は、電位差の有無を示すステータス信号が送出されるものとしたが、電圧検出器３は、アナログ−デジタル変換器を有し、電位差値を示すデジタルデータが送信されるようにしてもよい。
【００５６】
（３）上記実施形態では、電圧検出器３は、開閉器２の電源側と負荷側の電位差を測定することにより、開閉器２の負荷側の電位を検出するものとしたが、開閉器２の負荷側の電位の検出方法はこれに限られない。例えば、電圧検出器３により、開閉器２の負荷側と大地間の電位差を測定するようにしてもよい。
【００５７】
（４）上記実施形態では、警報出力部４５から送信される警報信号は、表示器５に対し出力されるものとしたが、表示器５に代替し、または加え、音声にて警報を出力する音声出力装置、印刷にて警報を出力する印刷装置、通信にて警報を出力する通信装置または、警報を記憶する記憶装置であってもよい。
【００５８】
（５）上記実施形態では、受信部４１は、ステータス信号入力回路により構成されるものとしたが、シリアル信号送受信回路により構成され、開始スイッチ９または他の分電装置１から、電文にて開始信号が送信されるようにしてもよい。
【００５９】
（６）上記実施形態では、入力部４３は、ステータス信号入力回路により構成されるものとしたが、シリアル信号送受信回路により構成され、電圧検出器３から電文にて電位差値を示すデジタルデータを受信するようにしてもよい。
【００６０】
（７）上記実施形態では、送信部４６は、ステータス信号出力回路により構成されるものとしたが、シリアル信号送受信回路により構成され、電文にて開始信号を送信するようにしてもよい。
【００６１】
（８）上記実施形態では、混触無と判断された場合、演算部４４ａは、警報出力部４５を制御し、警報信号を出力しないこととしたが、正常である旨の信号を出力するようにしてもよい。
【００６２】
（９）上記実施形態では、分電システムは、２つの分電装置１ａ、１ｂを有するものとしたが、分電装置１は２つに限られない。分電システムは、３つ以上の分電装置１ａ〜１ｎを有するものであってもよい。
【００６３】
この場合、第１の分電装置１ａが、開始スイッチ９から送信された第１の開始信号を受信し、第２の開始信号を送信し、第２の分電装置１ｂが、第１の分電装置１ａから送信された第２の開始信号を第１の開始信号として受信し、第２の開始信号を送信し・・・第ｎの分電装置１ｎが、第ｎ−１の分電装置１ｎ−１から送信された第２の開始信号を第１の開始信号として受信し、第２の開始信号を送信するように、順次直列に接続される。
【００６４】
つまり複数の分電装置のうち、１の分電装置の受信部に、複数の分電装置のうち他の分電装置の送信部から送信された第２の開始信号が、第１の開始信号として入力される。このように接続されることにより、順次、分電装置１ａ〜１ｎの順に、混触があるかの判断を行う動作が行われる。
【００６５】
（１０）図６に示すように各電圧検出器３に電位差の有無を示す表示器１０を設けるようにしてもよい。このように各電圧検出器３に電位差の有無を示す表示器を設けることにより、作業者に、個別の回線ごと、電圧の有無を報知することができる。
【００６６】
（１１）上記実施形態では、分電装置１ａの制御部４ａには、開始スイッチ９から出力された開始信号が入力されるものとしたが、分電装置１ａの制御部４ａに入力される開始信号は、開始スイッチ９から出力されるものに限られない。例えば、開始信号は、パーソナルコンピュータ、携帯端末装置、インターネット等の通信回線を介して供給されるものであってもよい。
【００６７】
（１２）上記実施形態では、制御部４は、分電装置１の内部に配置されるものとしたが、制御部４が配置される場所は、これに限られない、例えば、分電装置１の外部の中央監視盤に制御部４が配置されるようにしてもよい。
【符号の説明】
【００６８】
１，１ａ，１ｂ・・・分電装置
２，２ａ，２ｂ・・・開閉器
３，３ａ，３ｂ・・・電圧検出器
４，４ａ，４ｂ・・・制御部
５，５ａ，５ｂ，１０・・・表示器
６，６ａｎ，６ａｐ，６ｂｎ，６ｂｐ・・・電源側の電力供給線
７，７ａｎ，７ａｐ，７ｂｎ，７ｂｐ・・・負荷側の電力供給線
８，８ａ，８ｂ・・・遮断器
９・・・開始スイッチ
４１・・・受信部
４２・・・開閉制御部
４３・・・入力部
４４・・・演算部
４５・・・警報出力部
４６・・・送信部
【図１】
2018182946.tif 000003
【図２】
2018182946.tif 000004
【図３】
2018182946.tif 000005
【図４】
2018182946.tif 000006
【図５】
2018182946.tif 000007
【図６】
2018182946.tif 000008